(57)【要約】【課題】超高圧を発生させるためのマルチチャンバーおよびモーターポンプをスペースと動作の点で効率化する。【解決手段】本発明の作用は、基本的に超高圧を発生させるためのマルチチャンバーおよびモーターポンプの改良であり、各々のモーターポンプに対して複数のチャンバーを備えるので、スペースと動作の点でもっと効率的である。液体は、チャンバーの内側の圧力とチャンバーの外側の圧力の間の圧力で各チャンバーの壁に注入される。【選択図】図１
2013500423.tif 000002
【特許請求の範囲】
【請求項１】
モーターポンプを備えたマルチチャンバーであって、
外側のチャンバーは、モーターポンプを備えておらず、モーターポンプを取り付けるためのスペースもなく、
ｍ個のチャンバーの後まで、モーターポンプが外側に配置され、ポンプが内側に作用し、
ｋ個のチャンバーが、２番目のモーターポンプまでモーターポンプもモーターポンプのためのスペースもない内側の部分の方に取り付けられ、
前記２番目のモーターポンプのモーターはモーターポンプを備える前記チャンバーに作用し、前記２番目のモーターポンプのポンプは内側の部分の方に作用し、
チャンバーｎにおいて圧力Ｐｎが達成されるまで、
外部のポンプが、モーターポンプＮｏ．１が活性化されるまでＰ１に等しいＰ１１、Ｐ１２、…、Ｐ１ｍで最初のｍ個のチャンバーを満たすように動作するので、
前記モーターポンプＮｏ．１が、外側の方へポンプで注入される負荷を送り出すとき、モーターポンプＮｏ．１のエンジンとしてモーターポンプＮｏ．１のモーターによって伝えられる力でチャンバー２１（１３）にポンピングし、
チャンバー１ｍ（１２）の圧力がわずかに下がり、前記モーターポンプＮｏ．１を再び動かすために他のポンプの負荷が前記チャンバー１ｍ（１２）を満たすことを待ち、圧力が回復するまで待たなければならず、
前記モーターポンプＮｏ．１の複数のポンピングサイクルの後でＰ２ｊ＝Ｐ２が達成され、モーターポンプＮｏ．２でポンピングを始める準備ができ、
前記モーターポンプＮｏ．２が、前記モーターポンプＮｏ．２自体の時間でモーターポンプＮｏ．１が位置するチャンバー１，ｍ（１２）に前記モーターポンプＮｏ．２のモーターを作用させ、
圧力Ｐ２を回復させるために前記モーターポンプＮｏ．１からポンプで注入された負荷が届くまで前記モーターポンプＮｏ．２が待って、前記モーターポンプＮｏ．２がチャンバー３１（１５）の方へ動作することを始める、
ことを特徴とするマルチチャンバー。
【請求項２】
モーターポンプを備えたマルチチャンバーであって、
外側のチャンバーは、モーターポンプを備えておらず、モーターポンプを取り付けるためのスペースもなく、
ｍ個のチャンバーの後まで、モーターポンプが外側に配置され、ポンプが内側に作用し、
ｋ個のチャンバーが、２番目のモーターポンプまでモーターポンプもモーターポンプのためのスペースもない内側の部分の方に取り付けられ、
前記２番目のモーターポンプのモーターはモーターポンプを備える前記チャンバーに作用し、前記２番目のモーターポンプのポンプは内側の部分の方に作用し、
チャンバーを満たすことを始めるとき、いずれかのポンプまたはいずれかの外部ポンプがモーターポンプの後の最初のチャンバー（１０）をＰｓと同じ圧力Ｐｓｔに、このために全てチャンバーｓ２をＰｓ２に、そしてこのようにしてチャンバーｓｔまでＰｓと等しい圧力Ｐｓｔに満たさなければならないので、全てのチャンバーは決定された圧力Ｐｓ，Ｉになるまで液体のための接続を保たなければならず、Ｐｓ，Ｉより高い圧力で液体の注入を許さず、
ポンプを備える前記チャンバーにおいて、また、モーターポンプのモーターからモーターポンプを備える先のチャンバーまで放出バルブＶｄｉを持ち、前記ポンプが前記モーターポンプのポンプから来る圧力ラインの中で前記先のチャンバーの方に続く、
ことを特徴とするマルチチャンバー。
【発明の詳細な説明】
【技術分野】
【０００１】
本発明は、同じ発明者による特許文献１に記載の特許発明”超高圧を発生させるためのマルチチャンバーおよびモーターポンプ”の改良である。それは、複数の分野で利用されることができ、または超高圧での食物、液体ジェットによる金属プレートの切断、超高圧焼結、新材料の研究などの分野で異なる応用を持つことができる。
【背景技術】
【０００２】
先行技術は超高圧を達成する新しい方法に基づく開発条件によって決定される。それはポンピングを繰りかえし、それでポンプで注入された液体は２つに分割される。；一方では”モーター”シリンダーの中の圧力を低減し、圧力をさらに上昇させる液体の他の部分にパワーを伝達し、分割されるように繰り返して戻して圧力をさらに上昇させる。この技術では、本発明”超高圧を発生させるためのマルチチャンバーおよびモーターポンプ”におけるように各モーターポンプに対して単一のチャンバーがある。；それは、２重の壁のチャンバーが使われ、各モーターポンプに対して３重またはもっと多くの壁が使われ、または各モーターポンプが各モーターポンプに対して複数のチャンバーを持つときよりも、もっと有利であるように決定されなかった。
【先行技術文献】
【特許文献】
【０００３】
【特許文献１】チリ共和国特許出願第２３３１−０６号明細書
【図面の簡単な説明】
【０００４】
【図１】モーターポンプを備えたマルチチャンバーの構成の一例を示す図である。
【発明を実施するための形態】
【０００５】
”超高圧を発生させるためのマルチチャンバーおよびモーターポンプ”のシステムの改良の問題がある。その中では、各チャンバーに対して１つのモーターポンプが働く。同心のチャンバーが外側から内側に作用するように考慮され、モーターポンプを有するチャンバーがあり、その後に対応するモーターポンプを持った他のチャンバーがある。このようにして、最も内側にあり、最も高い圧力を生じる最後のチャンバーに至る。この場合には、各チャンバーの壁は、一体化されているか、または壁の内側で何も運ばない。
【０００６】
本発明の主題の作用は、基本的に”超高圧を発生させるためのマルチチャンバーおよびモーターポンプ”の修正であり、その中で、そのスペース内で、そして設置されている各モーターポンプに対する複数の一体型チャンバー、主に外側の部分に位置している一体型チャンバーの動作において更なる効率が得られる。または、その代わりに、各チャンバーは、その壁の内側の部分において、その内側の部分とその外側の部分で維持されている圧力の間の中間圧力で液体の注入を許す。
【０００７】
このようにチャンバーは複数の壁で造られており、チャンバー１は複数のチャンバーまたはセミチャンバーによって形成されることを前提とする。ここで、チャンバー１は、チャンバー１，１；チャンバー１，２；…チャンバー１，ｍによって構成される。チャンバー２は、チャンバー２，１；チャンバー２，２；…チャンバー２，ｋなどによって構成される。最初に、外部のポンプは圧力をＰ１まで上げる。しかし、Ｐ１より低い圧力で液体を注ぐことが始まるとき、圧力をかけてシステム全体を満たすことが始まる。そのときその圧力はＰ１，１に等しい。；それは外側のチャンバー１，１が満たされており（＊）、バルブ１，１が閉じられ、他のチャンバー、特にチャンバー１，２に液体を移すことが続くことを示す。；そして、Ｐ１より低いＰ１，２に等しい圧力に達すると、バルブ１，２が閉じられ、チャンバー１，３に続く。このようにして、Ｐ１，ｍ＝Ｐ１を持ったチャンバー１，ｍに達する。
【０００８】
そのとき、他のチャンバー、特にチャンバー２，１を満たすように動作し始めるチャンバー１，ｍにモーターポンプが配置されていることが必要である。モーターポンプＮｏ．１の最初のポンピングがＰ２に等しいＰ２，ｋより低い圧力であるように、モーターポンプ１のモーターは１ポンピングサイクルを取り除くので、チャンバー１，ｍの圧力である圧力Ｐ１は少し減少する。そして、モーターポンプ１のポンプは内側のチャンバー内の圧力を増加させる。従って、モーターポンプ１の２番目のポンピングがあるようにこの時再びモーターポンプ１を活性化させ、ＰがＰ２に達しないことを前提とするために、外部のポンプがチャンバー１，ｍ内でＰ１を回復させることを期待する必要がある。再び活性化させるために、モーターポンプ１でＰ１がＰ１に回復することを再び待つことが必要である。そのため、モーターポンプの２番目のポンピングはポンプＮｏ．１が水浸しになる圧力に再び下げる。ポンプＮｏ．１がシステム全体でＰ２に等しいＰ２，ｋで注ぐことに達するまで動作が続く。
【０００９】
そのときのみ、チャンバー３，ｊがＰ３などに等しい圧力Ｐ３，ｊで液体で満たされるまで、モーターポンプＮｏ．２がポンプＮｏ．１および外部のポンプとともに動作し始める。
【００１０】
内側のチャンバーがより高い圧力にさらされる時、Ｐｈ−Ｐｈ１＝Ｐ（Ｐｈは内側の圧力であり、Ｐｈ１は外側の圧力である。）に等しい圧力差に耐えるために、それらの壁はより薄くなることができるので、内側のチャンバーは２重または３重以上である必要はない。チャンバーの厚さが直径の少しの割合よりも薄くて（それは５％または４％または３％などのいずれかであってよい）Ｐと同じかまたは等しい差に耐えるとき、蓄えられるスペースはもはや関係がないので、各モーターポンプと関連する複数のチャンバーを置くことは必要ではない。
【００１１】
コンセプトは基本的なものであって、壁の厚さが分割され、中間の圧力にさらされ、チャンバーが硬い壁で作られるとき、内側の圧力の下で気体または液体を含むチャンバーはより大きな抵抗を持つべきであることについて特許を受けることが目的である。同じ寸法を持ち、同じ材料で作られ、数個のチャンバーで作られたチャンバーは、より厚い壁で作られた単一のチャンバーよりも大きな圧力に耐える。Ｐｎに等しい圧力を達成するために、チャンバー当たり１個のモーターポンプがある場合よりも、マルチチャンバーによって使われるスペースは削減され、モーターポンプの数は減少する。
【００１２】
外側のチューブから内側のチューブに進むにつれて圧力を増し、より低い圧力からより高い圧力に進むように、パックとして複数の同心のチューブまたはパイプから成るチューブが中間の圧力を持って比較されることができる。同じ材料で作られたより厚い壁のチューブが使われるよりも、それはもっと大きな最終圧力をサポートすることができ、材料の抵抗とけん引に打ち勝つ。
【００１３】
マルチチャンバーは、以前の発明で記載されたものと同じように、セイフティーバルブおよび装置を分解可能にするバルブを用いて備え付けられなければならない。それは、また、温度を上昇させる、観察を許すなどあらゆるタイプのメカニズムを持つべきである。
＊満たされるときバルブが圧力によって閉じられるあらゆるタイプのチャンバーが満足する。これは、上述したバルブが調節される圧力に依存する圧力で、圧力をかけて液体によって満たされるものである。
【図１】
2013500423.tif 000003
【国際調査報告】
2013500423.tif 000004
2013500423.tif 000005
2013500423.tif 000006
2013500423.tif 000007
2013500423.tif 000008
2013500423.tif 000009
2013500423.tif 000010
2013500423.tif 000011